(57)【特許請求の範囲】
【請求項１】
直線偏光板と位相差板が厚さ方向に積層された検査対象の複合偏光板の検査において、前記直線偏光板の光学軸の向きを次の［イ］及び［ロ］に記載の観察工程により検査する複合偏光板の検査方法。
［イ］基準複合偏光板サンプルをその直線偏光板側から検査具側の直線偏光板部分に、両直線偏光板同士がクロスニコル又はほぼクロスニコルになるように重ね合わせた状態で、前記検査対象の複合偏光板をその直線偏光板側から前記検査具側の別の直線偏光板部分に重ね合わせるととともに、前記検査対象の複合偏光板の所定の側縁を前記基準複合偏光板サンプルの所定の側縁に突き合わせ、前記検査具側の直線偏光板を前記基準複合偏光板サンプル及び検査対象の複合偏光板側とは反対側から照明して前記検査対象の複合偏光板を観察する観察工程。
［ロ］基準複合偏光板サンプルをその直線偏光板側から前記検査具側の直線偏光板部分に、両直線偏光板の光学軸同士が、クロスニコルにおける角度とは異なる角度又はほぼクロスニコル状態における角度とは異なる角度を成すように重ね合わせた状態で、前記検査対象の複合偏光板をその直線偏光板側から前記検査具側の別の直線偏光板部分に重ね合わせるととともに、前記検査対象の複合偏光板の所定の側縁を前記基準複合偏光板サンプルの所定の側縁に突き合わせ、前記検査具側の直線偏光板を前記基準複合偏光板サンプル及び検査対象の複合偏光板側とは反対側から照明して前記検査対象の複合偏光板を観察する観察工程。
ただし、上記［イ］［ロ］において、検査具側の直線偏光板部分の光学軸の向きと、検査具側の別の直線偏光板部分の光学軸の向きとは、同一に設定されており、かつ、上記［イ］［ロ］の前記側縁どうしの突き合わせにおいて、前記検査対象の複合偏光板における直線偏光板の光学軸の向きが正確に設定されていれば、前記基準複合偏光板サンプルの直線偏光板の光学軸の向きと、前記検査対象の複合偏光板の直線偏光板の光学軸の向きが平行になるように設定されている。
【請求項２】
直線偏光板と位相差板が厚さ方向に積層された検査対象の複合偏光板の検査において、前記位相差板の光学軸の向きを次の［ハ］及び［ニ］に記載の観察工程により検査する複合偏光板の検査方法。
［ハ］直線偏光板と、この直線偏光板よりも面積が小の位相差板とから成る基準複合偏光板サンプルを前記位相差板側から検査具側の直線偏光板部分に、その面を貫く方向の軸芯周りで第１検査用姿勢になるように重ね合わせた状態で、前記検査対象の複合偏光板をその位相差板側から前記検査具側の別の直線偏光板部分に重ね合わせるととともに、前記検査対象の複合偏光板の所定の側縁を前記基準複合偏光板サンプルの所定の側縁に突き合わせ、前記第１検査用姿勢は、前記検査具側の直線偏光板に対する前記基準複合偏光板サンプル側とは反対側からの照明で、前記基準複合偏光板サンプルが、照明方向下手側から見て、その直線偏光板と位相差板の重複部分側と、前記直線偏光板のはみ出し部分側とで同一又はほぼ同一の色に見えるようになる姿勢に設定して、前記検査対象の複合偏光板を観察する観察工程。
［ニ］基準複合偏光板サンプルをその位相差板側から前記検査具側の直線偏光板部分に、その面を貫く方向の軸芯周りで第２検査用姿勢になるように重ね合わせた状態で、前記検査対象の複合偏光板をその位相差板側から前記検査具側の別の直線偏光板部分に重ね合わせるとともに、前記検査対象の複合偏光板の所定の側縁を前記基準複合偏光板サンプルの所定の側縁に突き合わせ、前記第２検査用姿勢は、前記検査具側の直線偏光板に対する前記基準複合偏光板サンプル側とは反対側からの照明で、前記基準複合偏光板サンプルが、照明方向下手側から見て、前記［ハ］に記載の基準複合偏光板サンプルとは異なる色に見えるようになる姿勢に設定して、前記検査対象の複合偏光板を観察する観察工程。
ただし、上記［ハ］［ニ］において、検査具側の直線偏光板部分の光学軸の向きと、検査具側の別の直線偏光板部分の光学軸の向きとは、同一に設定されており、かつ、上記［ハ］［ニ］の前記側縁どうしの突き合わせにおいて、前記検査対象の複合偏光板における位相差板の光学軸の向きが正確に設定されていれば、前記基準複合偏光板サンプルの位相差板の光学軸の向きと、前記検査対象の複合偏光板の位相差板の光学軸の向きが平行になるように設定されている。
【請求項３】
直線偏光板と位相差板が厚さ方向に積層された検査対象の複合偏光板の検査において、前記位相差板の光学軸の向きを次の［ホ］に記載の観察工程により検査する複合偏光板の検査方法。
［ホ］基準複合偏光板サンプルを検査具側の複合偏光板部分に、その面を貫く方向の軸芯周りで検査用姿勢になるように、かつ、互いの位相差板同士が向き合うように重ね合わせた状態で、前記検査対象の複合偏光板をその位相差板側から前記検査具側の別の複合偏光板部分に重ね合わせるとともに、前記検査対象の複合偏光板の所定の側縁を前記基準複合偏光板サンプルの所定の側縁に突き合わせ、前記検査用姿勢は、前記検査具側の複合偏光板に対する前記基準複合偏光板サンプル側とは反対側からの照明で、前記基準複合偏光板サンプルが、照明方向下手側から見て、所定の色に見えるようになる姿勢に設定して、前記検査対象の複合偏光板を観察する観察工程。
ただし、上記［ホ］において、検査具側の複合偏光板部分の光学軸の向きと、検査具側の別の複合偏光板部分の光学軸の向きとは、同一に設定されており、かつ、上記［ホ］の前記側縁どうしの突き合わせにおいて、前記検査対象の複合偏光板における位相差板の光学軸の向きが正確に設定されていれば、前記基準複合偏光板サンプルの位相差板の光学軸の向きと、前記検査対象の複合偏光板の位相差板の光学軸の向きが平行になるように設定されている。
【請求項４】
前記検査対象の複合偏光板を構成する直線偏光板と位相差板とのうち、前記直線偏光板の光学軸の向きを、請求項１に記載の複合偏光板の検査方法で検査するとともに、前記位相差板の光学軸の向きを、請求項２に記載の複合偏光板の検査方法と、請求項３に記載の複合偏光板の検査方法との少なくとも一方の検査方法で検査する複合偏光板の検査方法。
【請求項５】
直線偏光板を透明板の一方の面に貼着するとともに、請求項１の［イ］の観察工程と、［ロ］の観察工程と、請求項２の［ハ］の観察工程と、［ニ］の観察工程と、請求項３の［ホ］の観察工程とに各別に対応する５枚の基準偏光板サンプルを前記透明板の他方の面に貼着し、さらに、請求項３の［ホ］の観察工程に対応する複合偏光板を前記透明板の一方の面に貼着しておいてから、前記検査対象の複合偏光板を観察する請求項４に記載の複合偏光板の検査方法。
【発明の詳細な説明】
【０００１】
【発明の属する技術分野】
本発明は複合偏光板の検査方法に関する。
【０００２】
【従来の技術】
偏光板や位相差板は液晶表示装置等を構成する光学素子の一つとして広く用いられており、例えば、液晶セルの一方の面に位相差板と直線偏光板とをこの順で積層するとともに、他方の面に位相差板と直線偏光板とをこの順で積層して、液晶表示装置の色調を所望の状態に保つとともに、普通の白黒表示を実現し、コントラストの低下を抑制等している。
【０００３】
前記直線偏光板と位相差板とを積層した構造で複合偏光板を構成しており、この複合偏光板を形成するのに、例えば、光学軸としての吸収軸が長手方向に対して平行又は直交する長尺の直線偏光板を前記長手方向に対して所定の角度を成す方向に順次切断し、光学軸としての遅相軸が長手方向に対して平行又は直交する長尺の位相差板の両側縁を、前記切断により得られた平行四辺形の直線偏光板切り出し体の切断された側の両側縁に沿う状態に貼合し、その後に、直線偏光板と位相差板との積層体を直線偏光板の形状に沿って切断してカットシート状の積層体を得るとともに、これを液晶表示装置の大きさに合うように切り出して形成している。
【０００４】
これにより、直線偏光板の吸収軸が複合偏光板の側縁に対して設定角度を成すとともに、位相差板の遅相軸が複合偏光板の側縁に対して設定角度を成した複合偏光板を形成することができるのであるが、製作時のミス等により、前記吸収軸が複合偏光板の側縁に対してその設定角度とは異なる角度を成す状態に製作されたり、遅相軸が複合偏光板の側縁に対してその設定角度とは異なる角度を成す状態に製作されたりすることがある。
【０００５】
このような製作誤差が生じると、複合偏光板を液晶表示装置の液晶セルに積層した後に、液晶表示装置の色調を所定の状態に保つことや、普通の白黒表示を実現することや、コントラストの低下を抑制すること等が困難になる。
【０００６】
そこで、完成した複合偏光板を構成する直線偏光板と位相差板とのうち、直線偏光板の吸収軸が複合偏光板の側縁に対して設定角度を成しているか否か、あるいは、前記位相差板の遅相軸が複合偏光板の側縁に対して設定角度を成しているか否か、つまり、前記吸収軸や遅相軸の向きが正しく設定されているか否かを検査しているが、従来では複合偏光板の直線偏光板から位相差板を剥がすとともに、直線偏光板と位相差板とをそれぞれ偏光顕微鏡で観察して、上記の検査を行っていた。
【０００７】
【発明が解決しようとする課題】
しかしながら、前記吸収軸や遅相軸の向きが正しく設定されているか否かの検査を、従来のように偏光顕微鏡で検査するという方法では、直線偏光板から位相差板を剥がすに伴って、直線偏光板や位相差板に力が加わって直線偏光板等が歪みやすいことから、吸収軸や遅相軸が貼合状態のときとは異なる向きになってしまって検査が不正確になるという問題があり、さらに、剥がす手間や偏光顕微鏡による観察に手間がかかって検査に時間がかかるという問題があった。
【０００８】
本発明の目的は、検査対象の複合偏光板を構成する直線偏光板と位相差板とのうち、直線偏光板の光学軸の向きが正確に設定されているか否かや、位相差板の光学軸の向きが正確に設定されているか否かの検査を短時間で正確に行うことができるようにする点にある。
【０００９】
【課題を解決するための手段】
請求項１による発明の構成・作用・効果は次の通りである。
【００１０】
［構成］直線偏光板と位相差板が厚さ方向に積層された検査対象の複合偏光板の検査において、前記直線偏光板の光学軸の向きを次の［イ］及び［ロ］に記載の観察工程により検査する。
【００１１】
［イ］基準複合偏光板サンプルをその直線偏光板側から検査具側の直線偏光板部分に、両直線偏光板同士がクロスニコル又はほぼクロスニコルになるように重ね合わせた状態で、前記検査対象の複合偏光板をその直線偏光板側から前記検査具側の別の直線偏光板部分に重ね合わせるととともに、前記検査対象の複合偏光板の所定の側縁を前記基準複合偏光板サンプルの所定の側縁に突き合わせ、前記検査具側の直線偏光板を前記基準複合偏光板サンプル及び検査対象の複合偏光板側とは反対側から照明して前記検査対象の複合偏光板を観察する観察工程。
【００１２】
［ロ］基準複合偏光板サンプルをその直線偏光板側から前記検査具側の直線偏光板部分に、両直線偏光板の光学軸同士が、クロスニコル又はほぼクロスニコル状態における角度とは異なる角度を成すように重ね合わせた状態で、前記検査対象の複合偏光板をその直線偏光板側から前記検査具側の別の直線偏光板部分に重ね合わせるととともに、前記検査対象の複合偏光板の所定の側縁を前記基準複合偏光板サンプルの所定の側縁に突き合わせ、前記検査具側の直線偏光板を前記基準複合偏光板サンプル及び検査対象の複合偏光板側とは反対側から照明して前記検査対象の複合偏光板を観察する観察工程。
ただし、上記［イ］［ロ］において、検査具側の直線偏光板部分の光学軸の向きと、検査具側の別の直線偏光板部分の光学軸の向きとは、同一に設定されており、かつ、上記［イ］［ロ］の前記側縁どうしの突き合わせにおいて、前記検査対象の複合偏光板における直線偏光板の光学軸の向きが正確に設定されていれば、前記基準複合偏光板サンプルの直線偏光板の光学軸の向きと、前記検査対象の複合偏光板の直線偏光板の光学軸の向きが平行になるように設定されている。
【００１３】
［作用］
上記の［イ］のように、基準複合偏光板サンプルをその直線偏光板側から検査具側の直線偏光板部分に、両直線偏光板同士がクロスニコル又はほぼクロスニコルになるように重ね合わせた状態で、検査対象の複合偏光板をその直線偏光板側から検査具側の別の直線偏光板部分に重ね合わせるととともに、検査対象の複合偏光板の所定の側縁を基準複合偏光板サンプルの所定の側縁に突き合わせる。
【００１４】
すなわち、例えば図５，図６に示すように、検査対象の複合偏光板１と同一形状の基準複合偏光板サンプル１１（共に長方形）を検査具側の直線偏光板部分に重ね合わせた状態にしておいて、検査対象の複合偏光板１を検査具側の別の直線偏光板部分に重ね合わせるとともに、検査対象の複合偏光板１の長辺側の側縁７（所定の側縁）を、基準複合偏光板サンプル１１の対応する長辺とは反対の長辺側の側縁８（所定の側縁，図１参照）に突き合わせる。
【００１５】
前記基準複合偏光板サンプルは、その直線偏光板（以下、「基準直線偏光板」と称する）の光学軸の向きが所望の向きに正確に設定されたもので、検査対象の複合偏光板における直線偏光板（以下、「検査対象の直線偏光板」と称する）の光学軸の向きが正確に設定されていると、基準直線偏光板の光学軸と検査対象の直線偏光板の光学軸とが平行になる。
【００１６】
その結果、検査対象の直線偏光板も検査具側の直線偏光板とクロスニコル又はほぼクロスニコルになり、検査具側の直線偏光板を基準複合偏光板サンプル及び検査対象の複合偏光板側とは反対側から照明した場合、基準複合偏光板サンプルと検査対象の複合偏光板側とがいずれも同じ濃さの色（無彩色）に見える。
【００１７】
前記検査対象の直線偏光板の光学軸の向きが所望の向きに対して傾いた状態になっていると、その直線偏光板が検査具側の直線偏光板とはクロスニコル又はほぼクロスニコルにならなくなり、検査対象の複合偏光板が基準複合偏光板サンプルと同じ濃さの色には見えなくなる。
【００１８】
このように、基準複合偏光板サンプルと検査対象の複合偏光板とが同じ濃さの色に見えるか否かを観察することで、検査対象の直線偏光板の光学軸の向きが正確に設定されているか否かを判別することができる。
【００１９】
基準複合偏光板サンプルと検査対象の複合偏光板とは、それぞれそれらの直線偏光板側から検査具側の直線偏光板に重ね合わせてあり、検査具側の直線偏光板を基準複合偏光板サンプル及び検査対象の複合偏光板側とは反対側から照明するから、基準複合偏光板サンプルにおける位相差板や検査対象の複合偏光板における位相差板の影響で基準複合偏光板サンプルや検査対象の複合偏光板に別の色が着くのを回避することができ、前記位相差板が上記の観察に及ぼす影響を除去することができる。
【００２０】
検査対象の複合偏光板における直線偏光板の光学軸が、所望の向きに対して少しだけ傾いた状態になっていた場合、上記の［イ］の観察工程では、検査対象の複合偏光板と基準複合偏光板サンプルとの色の濃さがわずかしか異ならず、両者の色の濃さの違いを見分けることが困難である。
【００２１】
そこで、上記の［イ］の観察工程に加えて［ロ］の観察工程で検査する。
【００２２】
上記の［ロ］の観察工程では、基準複合偏光板サンプルをその直線偏光板側から検査具側の直線偏光板部分に、両直線偏光板の光学軸同士が、クロスニコル又はほぼクロスニコル状態における角度とは異なる角度（例えば８０度）を成すように重ね合わせる。
【００２３】
そしてその状態で、検査対象の複合偏光板をその直線偏光板側から検査具側の別の直線偏光板部分に重ね合わせるととともに、検査対象の複合偏光板の所定の側縁を基準複合偏光板サンプルの所定の側縁に突き合わせる。
【００２４】
すなわち、例えば図６，図７に示すように、検査対象の複合偏光板１と同一形状の基準複合偏光板サンプル１２（共に長方形）を検査具側の直線偏光板部分に重ね合わせた状態にしておいて、検査対象の複合偏光板１を検査具側の別の直線偏光板部分に重ね合わせるとともに、検査対象の複合偏光板１の長辺側の側縁７（所定の側縁）を、基準複合偏光板サンプル１２の対応する長辺とは反対の長辺側の側縁９（所定の側縁，図１参照）に突き合わせる。
【００２５】
検査対象の複合偏光板の直線偏光板の光学軸の向きが正確に設定されていると、基準直線偏光板の光学軸と検査対象の直線偏光板の光学軸とが平行になる。
【００２６】
その結果、検査具側の直線偏光板を基準複合偏光板サンプル及び検査対象の複合偏光板側とは反対側から照明した場合、基準複合偏光板サンプルと検査対象の複合偏光板側とがいずれも同じ濃さの色に見える。
【００２７】
前記検査対象の直線偏光板の光学軸の向きが所望の向きに対して傾いた状態になっていると、検査対象の複合偏光板が基準複合偏光板サンプルと同じ濃さの色には見えなくなる。
【００２８】
上記のように、基準複合偏光板サンプルをその直線偏光板側から検査具側の直線偏光板に、両直線偏光板の光学軸同士が、クロスニコル又はほぼクロスニコル状態における角度とは異なる角度を成すように重ね合わせた場合、検査対象の直線偏光板の光学軸の向きが所望の向きに対して少しだけ傾いた状態になっていても、基準複合偏光板サンプルと検査対象の複合偏光板との色の濃さの差が大きく現れて、両者の色の違いを見分けやすくなる。
【００２９】
以上の作用により、検査対象の直線偏光板の光学軸を従来のように偏光顕微鏡で観察する場合に比べると、検査対象の直線偏光板から位相差板を剥がす必要がなく、また、その剥がしに伴う直線偏光板や位相差板の歪みが生じることもなくなって、観察に手間がかからなくなるとともに、検査が不正確になるのを抑制することができる。
【００３０】
［効果］
従って、検査対象の複合偏光板を構成する直線偏光板と位相差板とのうち、直線偏光板の光学軸の向きが正確に設定されているか否かの検査を短時間で正確に行うことができるようになった。
【００３１】
請求項２による発明の構成・作用・効果は次の通りである。
【００３２】
［構成］直線偏光板と位相差板が厚さ方向に積層された検査対象の複合偏光板の検査において、前記位相差板の光学軸の向きを次の［ハ］及び［ニ］に記載の観察工程により検査する。
［ハ］直線偏光板と、この直線偏光板よりも面積が小の位相差板とから成る基準複合偏光板サンプルを前記位相差板側から検査具側の直線偏光板部分に、その面を貫く方向の軸芯周りで第１検査用姿勢になるように重ね合わせた状態で、前記検査対象の複合偏光板をその位相差板側から前記検査具側の別の直線偏光板部分に重ね合わせるととともに、前記検査対象の複合偏光板の所定の側縁を前記基準複合偏光板サンプルの所定の側縁に突き合わせ、前記第１検査用姿勢は、前記検査具側の直線偏光板に対する前記基準複合偏光板サンプル側とは反対側からの照明で、前記基準複合偏光板サンプルが、照明方向下手側から見て、その直線偏光板と位相差板の重複部分側と、前記直線偏光板のはみ出し部分側とで同一又はほぼ同一の色に見えるようになる姿勢に設定して、前記検査対象の複合偏光板を観察する観察工程。
【００３３】
［ニ］基準複合偏光板サンプルをその位相差板側から前記検査具側の直線偏光板部分に、その面を貫く方向の軸芯周りで第２検査用姿勢になるように重ね合わせた状態で、前記検査対象の複合偏光板をその位相差板側から前記検査具側の別の直線偏光板部分に重ね合わせるとともに、前記検査対象の複合偏光板の所定の側縁を前記基準複合偏光板サンプルの所定の側縁に突き合わせ、前記第２検査用姿勢は、前記検査具側の直線偏光板に対する前記基準複合偏光板サンプル側とは反対側からの照明で、前記基準複合偏光板サンプルが、照明方向下手側から見て、前記［ハ］に記載の基準複合偏光板サンプルとは異なる色に見えるようになる姿勢に設定して、前記検査対象の複合偏光板を観察する観察工程。
ただし、上記［ハ］［ニ］において、検査具側の直線偏光板部分の光学軸の向きと、検査具側の別の直線偏光板部分の光学軸の向きとは、同一に設定されており、かつ、上記［ハ］［ニ］の前記側縁どうしの突き合わせにおいて、前記検査対象の複合偏光板における位相差板の光学軸の向きが正確に設定されていれば、前記基準複合偏光板サンプルの位相差板の光学軸の向きと、前記検査対象の複合偏光板の位相差板の光学軸の向きが平行になるように設定されている。
【００３４】
［作用］
上記の［ハ］のように、基準複合偏光板サンプルを前記位相差板側から検査具側の直線偏光板部分に、前記第１検査姿勢になるように重ね合わせることで、基準複合偏光板サンプルにおける位相差板の発色機能が働かなくなる。
【００３５】
そして、検査対象の複合偏光板をその位相差板側から検査具側の別の直線偏光板部分に重ね合わせるととともに、検査対象の複合偏光板の所定の側縁を基準複合偏光板サンプルの所定の側縁に突き合わせる。
【００３６】
すなわち、例えば図８，図９に示すように、検査対象の複合偏光板１と同一形状の基準複合偏光板サンプル１３（共に長方形）を検査具側の直線偏光板部分に重ね合わせた状態にしておいて、検査対象の複合偏光板１を検査具側の別の直線偏光板部分に重ね合わせるとともに、検査対象の複合偏光板１の長辺側の側縁７（所定の側縁）を、基準複合偏光板サンプル１３の対応する長辺とは反対の長辺側の側縁１０（所定の側縁，図１参照）に突き合わせる。
【００３７】
前記基準複合偏光板サンプルは、その位相差板（以下、「基準位相差板」と称する）の光学軸の向きが所望の向きに正確に設定されたもので、検査対象の複合偏光坂における位相差板（以下、「検査対象の位相差板」と称する）の光学軸の向きが所望の向きに正確に設定されていると、基準位相差板の光学軸と検査対象の位相差板の光学軸とが平行になる。
【００３８】
その結果、基準位相差板の光学軸が検査具側の直線偏光板の光学軸に対して成す角度と、検査対象の位相差板の光学軸が検査具側の直線偏光板の光学軸に対して成す角度とが等しくなり、検査具側の直線偏光板に対する基準複合偏光板サンプル及び検査対象の複合偏光板側とは反対側からの照明で、検査対象の位相差板も発色機能が働かなくなって、基準複合偏光板サンプルと検査対象の複合偏光板とが同じ色に見える。
【００３９】
前記検査対象の位相差板の光学軸の向きが所望の向きに対して少しでも傾いた状態になっていると、位相差板の発色機能が働いて検査対象の複合偏光板に別の色が着くことから、基準複合偏光板サンプルと検査対象の複合偏光板とが同じ色に見えなくなる。
【００４０】
このように、基準複合偏光板サンプルと検査対象の複合偏光板とが同じ色に見えるか否かを観察することで、検査対象の位相差板の光学軸の向きが正確に設定されているか否かを判別することができる。
【００４１】
ところで、検査対象の位相差板の光学軸及び検査対象の直線偏光板の光学軸が、所望の光学軸の向きに対して９０度傾いていた場合（例えば、直線偏光板と位相差板との積層体を液晶表示装置の大きさに合わせて長方形に切り出すときに、縦横を間違えて切り出した場合）、検査対象の位相差板の発色機能が上記と同様に働かなくなり、基準複合偏光板サンプルと検査対象の複合偏光板とが同じ色に見えてしまう。
【００４２】
そこで、上記の［ハ］の観察工程に加えて［ニ］の観察工程で検査する。
【００４３】
上記［ニ］の観察工程では、基準複合偏光板サンプルをその位相差板側から検査具側の直線偏光板部分に、前記第２検査用姿勢になるように重ね合わせて、検査具側の直線偏光板に対する基準複合偏光板サンプル側とは反対側からの照明で、基準複合偏光板サンプルが、照明方向下手側から見て、前記［ハ］に記載の基準複合偏光板サンプルとは異なる色に見えるようにしておく。
【００４４】
そして、検査対象の複合偏光板をその位相差板側から検査具側の別の直線偏光板部分に重ね合わせるととともに、検査対象の複合偏光板の所定の側縁を基準複合偏光板サンプルの所定の側縁に突き合わせる。
【００４５】
すなわち、例えば図１０，図１１に示すように、検査対象の複合偏光板１と同一形状の基準複合偏光板サンプル１４（共に長方形）を検査具側の直線偏光板部分に重ね合わせた状態にしておいて、検査対象の複合偏光板１を検査具側の別の直線偏光板部分に重ね合わせるとともに、検査対象の複合偏光板１の長辺側の側縁７（所定の側縁）を、基準複合偏光板サンプルの対応する長辺とは反対の長辺側の側縁１７（所定の側縁，図１参照）に突き合わせる。
【００４６】
前記基準複合偏光板サンプルは、その位相差板の光学軸の向きが所望の向きに正確に設定されたもので、検査対象の位相差板の光学軸の向きが所望の向きに正確に設定されていると、基準相差板の光学軸と検査対象の位相差板の光学軸とが平行になる。
【００４７】
その結果、基準位相差板の光学軸が検査具側の直線偏光板の光学軸に対して成す角度と、検査対象の位相差板の光学軸が検査具側の直線偏光板の光学軸に対して成す角度とが等しくなり、検査具側の直線偏光板を基準複合偏光板サンプル及び検査対象の複合偏光板側とは反対側から照明した場合、照明方向下手側から見て、基準複合偏光板サンプルと検査対象の複合偏光板とが同じ色に見える。
【００４８】
検査対象の位相差板の光学軸及び直線偏光板の光学軸が、所望の光学軸の向きに対して９０度傾いた状態になっていると、基準複合偏光板サンプルと検査対象の複合偏光板とが同じ色に見えなくなる。
【００４９】
このように、基準複合偏光板サンプルと検査対象の複合偏光板とが同じ色に見えるか否かを観察することで、検査対象の複合偏光板における位相差板の光学軸の向きが正確に設定されているか、及び、検査対象の位相差板の光学軸及び検査対象の直線偏光板の光学軸が、所望の光学軸の向きに対して９０度傾いた状態になっているかを判別することができる。
【００５０】
以上の作用により、検査対象の位相差板の光学軸を従来のように偏光顕微鏡で観察する場合に比べると、検査対象の複合偏光板の直線偏光板から位相差板を剥がす必要がなく、また、その剥がしに伴う直線偏光板や位相差板の歪みが生じることもなくなって、観察に手間がかからなくなるとともに、検査が不正確になるのを抑制することができる。
【００５１】
［効果］
従って、検査対象の複合偏光板を構成する直線偏光板と位相差板とのうち、位相差板の光学軸の向きが正確に設定されているか否かの検査を短時間で正確に行うことができるようになった。
【００５２】
請求項３による発明の構成・作用・効果は次の通りである。
【００５３】
［構成］直線偏光板と位相差板が厚さ方向に積層された検査対象の複合偏光板の検査において、前記位相差板の光学軸の向きを次の［ホ］に記載の観察工程により検査する。
【００５４】
［ホ］基準複合偏光板サンプルを検査具側の複合偏光板部分に、その面を貫く方向の軸芯周りで検査用姿勢になるように、かつ、互いの位相差板同士が向き合うように重ね合わせた状態で、前記検査対象の複合偏光板をその位相差板側から前記検査具側の別の複合偏光板部分に重ね合わせるとともに、前記検査対象の複合偏光板の所定の側縁を前記基準複合偏光板サンプルの所定の側縁に突き合わせ、前記検査用姿勢は、前記検査具側の複合偏光板に対する前記基準複合偏光板サンプル側とは反対側からの照明で、前記基準複合偏光板サンプルが、照明方向下手側から見て、所定の色に見えるようになる姿勢に設定して、前記検査対象の複合偏光板を観察する観察工程。
ただし、上記［ホ］において、検査具側の複合偏光板部分の光学軸の向きと、検査具側の別の複合偏光板部分の光学軸の向きとは、同一に設定されており、かつ、上記［ホ］の前記側縁どうしの突き合わせにおいて、前記検査対象の複合偏光板における位相差板の光学軸の向きが正確に設定されていれば、前記基準複合偏光板サンプルの位相差板の光学軸の向きと、前記検査対象の複合偏光板の位相差板の光学軸の向きが平行になるように設定されている。
【００５５】
［作用］
上記の［ホ］のように、基準複合偏光板サンプルを検査具側の複合偏光板部分に、前記検査用姿勢になるように重ね合わせて、検査具側の複合偏光板に対する前記基準複合偏光板サンプル側とは反対側からの照明により、基準複合偏光板サンプルが、照明方向下手側から見て所定の色になるようにした状態で、検査対象の複合偏光板をその位相差板側から前記検査具側の別の複合偏光板部分に重ね合わせる。
【００５６】
そして、検査対象の複合偏光板の所定の側縁を基準複合偏光板サンプルの所定の側縁に突き合わせる。
【００５７】
すなわち、例えば図１２，図１３に示すように、検査対象の複合偏光板１と同一形状の基準複合偏光板サンプル１５（共に長方形）を検査具側の複合偏光板部分に重ね合わせた状態にしておいて、検査対象の複合偏光板１を検査具側の別の複合偏光板部分に重ね合わせるとともに、検査対象の複合偏光板１の長辺側の側縁７（所定の側縁）を、基準複合偏光板サンプル１５の対応する長辺とは反対の長辺側の側縁１８（所定の側縁，図１参照）に突き合わせる。
【００５８】
上記の基準複合偏光板サンプルは、その位相差板の光学軸の向きが所望の向きに正確に設定されたもので、基準複合偏光板サンプルに突き合わされた検査対象の複合偏光板における位相差板の光学軸の向きが正確に設定されていると、基準複合偏光板における位相差板（以下、「基準位相差板」と称する）の光学軸と検査対象の位相差板の光学軸とが平行になる。
【００５９】
これにより、検査具側の複合偏光板に対する基準複合偏光板サンプル側とは反対側からの照明により、基準複合偏光板サンプルと検査対象の複合偏光板とが、照明方向下手側から見て同じ色に見える。
【００６０】
前記検査対象の位相差板の光学軸の向きが所望の向きに対して傾いた状態になっていると、両者（基準複合偏光板サンプルと検査対象の複合偏光板）が異なった色に見える。
【００６１】
例えば、複合偏光板を形成するときに、直線偏光板に対して位相差板を所望の角度から９０度傾けて貼着してしまうミスが生じることがも考えられるが、このようにして完成した複合偏光板を前記［ホ］の観察工程で観察すると、前記両者が異なった色に見える。
【００６２】
このように、前記両者が同じ色に見えるか否かを観察することで、検査対象の位相差板の光学軸の向きが正確に設定されているか否かを判別することができる。
【００６３】
特に上記［ホ］の観察工程では、直線偏光板に対して位相差板を所望の角度から９０度傾けて貼着されてしまった複合偏光板を容易に見いだすことができる。
【００６４】
上記の作用により、検査対象の位相差板の光学軸を従来のように偏光顕微鏡で観察する場合に比べると、検査対象の複合偏光板の直線偏光板から位相差板を剥がす必要がなく、また、その剥がしに伴う直線偏光板や位相差板の歪みが生じることもなくなって、観察に手間がかからなくなるとともに、検査が不正確になるのを抑制することができる。
【００６５】
［効果］
従って、検査対象の複合偏光板を構成する直線偏光板と位相差板とのうち、直線偏光板の光学軸の向きが正確に設定されているか否かの検査を短時間で正確に行うことができるようになった。
【００６６】
請求項４による発明の構成・作用・効果は次の通りである。
【００６７】
［構成］
検査対象の複合偏光板を構成する直線偏光板と位相差板とのうち、前記直線偏光板の光学軸の向きを、請求項１に記載の複合偏光板の検査方法で検査するとともに、前記位相差板の光学軸の向きを、請求項２に記載の複合偏光板の検査方法と、請求項３に記載の複合偏光板の検査方法との少なくとも一方の検査方法で検査する。
【００６８】
［作用］
検査対象の複合偏光板を構成する直線偏光板と位相差板とのうち、前記直線偏光板の光学軸の向きを、請求項１に記載の複合偏光板の検査方法で検査することで、請求項１の構成による作用と同様の作用を奏することができる。
【００６９】
そして、前記位相差板の光学軸の向きを、請求項２に記載の複合偏光板の検査方法で検査した場合は、請求項１の構成による作用と同様の作用を奏することができ、請求項３に記載の複合偏光板の検査方法で検査した場合は、請求項３の構成による作用と同様の作用を奏することができる。
【００７０】
［効果］
従って、検査対象の複合偏光板を構成する直線偏光板と位相差板とのうち、直線偏光板の光学軸の向きが正確に設定されているか否か、及び、位相差板の光学軸の向きが正確に設定されているか否かの検査を短時間で正確に行うことができるようになった。
【００７１】
そして、請求項２・請求項３の検査方法では行うことができない検査を請求項１の検査方法で行うことができ、請求項１・請求項３の検査方法では行うことができない検査を請求項２の検査方法で行うことができ、さらに、請求項１・請求項２の検査方法では行うことができない検査を請求項３の検査方法で行うことができることから、検査対象の複合偏光板を構成する直線偏光板と位相差板とのうち、直線偏光板の光学軸の向きを、請求項１に記載の複合偏光板の検査方法で検査するとともに、前記位相差板の光学軸の向きを、請求項２に記載の複合偏光板の検査方法と、請求項３に記載の複合偏光板の検査方法とのいずれの検査方法でも検査すると、検査精度をより向上させることができる。
【００７２】
請求項５による発明の構成・作用・効果は次の通りである。
【００７３】
［構成］
請求項４による発明の構成において、直線偏光板を透明板の一方の面に貼着するとともに、請求項１の［イ］の観察工程と、［ロ］の観察工程と、請求項２の［ハ］の観察工程と、［ニ］の観察工程と、請求項３の［ホ］の観察工程とに各別に対応する５枚の基準偏光板サンプルを前記透明板の他方の面に貼着し、さらに、請求項３の［ホ］の観察工程に対応する複合偏光板を前記透明板の一方の面に貼着しておいてから、前記検査対象の複合偏光板を観察する。
【００７４】
［作用］
請求項４の構成による作用と同様の作用を奏することができるのに加え、上記のようにして観察するから、１枚の複合偏光板を観察する場合、各観察工程ごとに、基準複合偏光板サンプルを検査具側の直線偏光板に対して位置決めしなくてもよくなるとともに、基準複合偏光板サンプルを確実に位置固定できて、観察時の基準複合偏光板サンプルの位置ずれを回避することができる。
【００７５】
また、複数枚の複合偏光板を検査する場合も同様に、各検査対象の複合偏光板ごとに基準複合偏光板サンプルを検査具側の直線偏光板に対して位置決めしなくてもよくなる。
【００７６】
［効果］
従って、請求項４の構成による効果と同様の効果を奏することができるのに加え、検査対象の複合偏光板を構成する直線偏光板と位相差板とのうち、直線偏光板の光学軸の向きが正確に設定されているか否か、及び、位相差板の光学軸の向きが正確に設定されているか否かの検査をより短時間でより正確に行うことができるようになった。
【００７７】
【発明の実施の形態】
以下、本発明の実施の形態を図面に基づいて説明する。
【００７８】
図５〜図１３に、検査対象の長方形の複合偏光板１を構成する直線偏光板１Ａと位相差板１Ｂとのうち、直線偏光板１Ａの光学軸としての吸収軸が所望の向きに正確に設定されているか否か、及び、位相差板１Ｂの光学軸としての遅相軸が所望の向きに正確に設定されているか否かを検査具４を用いて検査している状態を示してある。
【００７９】
図１，図２に示すように、前記検査具４は、検査具用直線偏光板５（検査具側の直線偏光板に相当）をガラス板６（透明板に相当）の一方の板面Ｆ１に貼着するとともに、検査対象の複合偏光板１と同一形状の第１〜第５基準複合偏光板サンプル１１，１２，１３，１４，１５をガラス板６の他方の面Ｆ２に分散させて、それぞれ対応する検査具用直線偏光板部分と重なる状態に貼着し、さらに、検査具用複合偏光板１６をガラス板６の一方の面Ｆ１にその位相差板１６Ｂ側から貼着し、検査具用直線偏光板５及び検査具用複合偏光板１６を第１〜第５基準複合偏光板サンプル１１，１２，１３，１４，１５とは反対側から照明する光源としてのライト２を設けて構成してある。
【００８０】
前記第１〜第５基準複合偏光板サンプル１１，１２，１３，１４，１５は、その直線偏光板１１Ａ，１２Ａ，１３Ａ，１４Ａ，１５Ａの吸収軸の向きと位相差板１１Ｂ，１２Ｂ，１３Ｂ，１４Ｂ，１５Ｂの遅相軸の向きとがそれぞれ所望の向きに正確に設定された複合偏光板である。
【００８１】
前記検査具４について詳述すると、図３，図４にも示すように、前記第１基準複合偏光板サンプル１１を、その直線偏光板側１１Ａからガラス板６の他方の面Ｆ２に、検査具用直線偏光板５とクロスニコル（又はほぼクロスニコル）になる状態に貼着し、図２に示すように、第２基準複合偏光板サンプル１２をその直線偏光板側１２Ａからガラス板６の他方の面Ｆ２に、前記直線偏光板１２Ａと検査具用直線偏光板５の吸収軸同士が、クロスニコル（又はほぼクロスニコル）状態における角度とは異なる８０度を成すように貼着してある。
【００８２】
図１，図２，図３に示すように、前記第３基準複合偏光板サンプル１３は、互いに同一大きさの直線偏光板と位相差板とから成る複合偏光板から所定の位相差板部分を剥いで、直線偏光板１３Ａと、この直線偏光板１３Ａよりも面積が小の位相差板１３Ｂとから成る状態に形成してあり、第３基準複合偏光板サンプル１３が、位相差板１３Ｂ側から検査具用直線偏光板５と重なって、その面を貫く方向の軸芯周りで第１検査用姿勢になるように、その第３基準複合偏光板サンプル１３をガラス板６の他方の面Ｆ２に載置して、その状態で貼着してある。
【００８３】
前記第１検査用姿勢は、検査具用直線偏光板５を第１〜第５基準複合偏光板サンプル１１，１２，１３，１４，１５側とは反対側のライト２により照明した状態で、照明方向下手側から見て、第３基準複合偏光板サンプル１３が、その直線偏光板１３Ａと位相差板１３Ｂの重複部分１９側（図１，図３参照）と、直線偏光板１３のはみ出し部分２０側とで同一又はほぼ同一の色に見えるようになる姿勢である。
【００８４】
図１，図２に示すように、前記第４基準複合偏光板サンプル１４は、検査具用直線偏光板５と重なって、その面を貫く方向の軸芯周りで第２検査用姿勢になるように、ガラス板６の他方の面Ｆ２にその位相差板１４Ｂ側から載置し、その状態でガラス板６の他方の面Ｆ２に貼着してある。
【００８５】
前記第２検査用姿勢は、検査具用直線偏光板５をライト２により照明した状態で、照明方向下手側から見て、第４基準複合偏光板サンプル１４が、第３基準複合偏光板サンプル１３とは異なる色に見えるようになる姿勢である。
【００８６】
前記第３基準複合偏光板サンプル１３と第４基準複合偏光板サンプル１４とは、それらの位相差板１３Ｂ，１４Ｂの遅相軸同士が互いに４５度程度を成すように姿勢設定して、第４基準複合偏光板サンプル１４の発色の色度が最も大きく、例えば青色に見えるようにしてある。
図１，図２に示すように、前記第５基準複合偏光板サンプル１５は検査具用複合偏光板部分に、その面を貫く方向の軸芯周りで第３検査用姿勢となり、かつ、互いの位相差板１５Ｂ，１６Ｂ同士が向き合うようにガラス板６の他方の面Ｆ２に重ね合わせ、その状態でガラス板６の他方の面Ｆ２に貼着してある。
【００８７】
前記第３検査用姿勢は、検査具用複合偏光板１６に対するライト２の照明で、照明方向下手側から見て、検査具用複合偏光板１６と重複している第５基準複合偏光板サンプル部分２１が所定の色に見えるような姿勢である。
【００８８】
上記の検査具４を用いて、検査対象の複合偏光板１を次のようにして検査する。
【００８９】
［Ｉ］複合偏光板１における直線偏光板１Ａの吸収軸が所望の向きに正確に設定されているか否かの検査
［第１観察工程］（図５，図６参照）
検査対象の複合偏光板１を、第１基準複合偏光板サンプル１１側の検査具用直線偏光板部分とは別の直線偏光板部分に重なる状態に、直線偏光板１Ａ側からガラス板６の他方の面Ｆ２に重ね合わせるとともに、検査対象の複合偏光板１の長辺側の側縁７（所定の側縁に相当）を、第１基準複合偏光板サンプル１１の対応する長辺とは反対の長辺側の側縁８（所定の側縁，図１参照）に突き合わせる。
【００９０】
前記検査対象の複合偏光板１における直線偏光板１Ａ、すなわち検査対象の直線偏光板１Ａの吸収軸の向きが所望の向きに正確に設定されていると、基準複合偏光板サンプル１１における直線偏光板、すなわち基準直線偏光板１１Ａの吸収軸と検査対象の直線偏光板１Ａの吸収軸とが平行になる。
【００９１】
前記第１基準複合偏光板サンプル１１は、その直線偏光板側１１Ａから検査具側用直線偏光板５に、両直線偏光板１１Ａ，５同士がクロスニコル（又はほぼクロスニコル）になるように重ね合わせてあるから、上記の場合、検査対象の直線偏光板１Ａも検査具用直線偏光板５とはクロスニコル（又はほぼクロスニコル）になり、ライト２の照明により第１基準複合偏光板サンプル１１と検査対象の複合偏光板１とがいずれも同じ濃さの色（無彩色）に見える。
【００９２】
検査対象の直線偏光板１Ａの吸収軸の向きが所望の向きに対して傾いた状態になっていると、検査対象の直線偏光板１Ａが検査具用直線偏光板とはクロスニコル（又はほぼクロスニコル）にならなくなり、検査対象の複合偏光板１が第１基準複合偏光板サンプル１１と同じ濃さの色には見えなくなる。
【００９３】
このように、第１基準複合偏光板サンプル１１と検査対象の複合偏光板１とが同じ濃さの色に見えるか否かを観察することで、検査対象の直線偏光板１の吸収軸の向きが正確に設定されているか否かを判別する。
【００９４】
［第２観察工程］（図６，図７参照）
前記検査対象の複合偏光板１を、第２基準複合偏光板サンプル１２側の検査具用直線偏光板部分とは別の直線偏光板部分に重なる状態に、直線偏光板１Ａ側からガラス板６の他方の面Ｆ２に重ね合わせるとともに、検査対象の複合偏光板１の長辺側の側縁７を、第２基準複合偏光板サンプルの対応する長辺とは反対の長辺側の側縁９（所定の側縁，図１参照）に突き合わせる。
【００９５】
そして第１観察工程と同様に、第２基準複合偏光板サンプル１２と検査対象の複合偏光板１とが同じ濃さの色に見えるか否かを観察することで、検査対象の直線偏光板１の吸収軸の向きが正確に設定されているか否かを判別する。
【００９６】
上記のように、第２基準複合偏光板サンプル１２をその直線偏光板１２Ａ側から検査具用直線偏光板５に、両直線偏光板１２Ａ，５の吸収軸同士が、クロスニコル（又はほぼクロスニコル）状態における角度とは異なる角度８０度を成すように重ね合わせてある場合、検査対象の複合偏光板１の直線偏光板１Ａの吸収軸の向きが所望の向きに対して少しだけ傾いた状態になっていても、第２基準複合偏光板サンプル１２と検査対象の複合偏光板１との色の濃さの差が大きく現れて、両者の色の違いを見分けやすくなる。
【００９７】
［ＩＩ］複合偏光板１における位相差板の１Ｂ吸収軸が所望の向きに正確に設定されているか否かの検査
［第１観察工程］（図８，図９参照）
前記検査対象の複合偏光板１を、第３基準複合偏光板サンプル１３側の検査具用直線偏光板部分とは別の直線偏光板部分に重なる状態に、位相差板１Ｂ側からガラス板６の他方の面Ｆ２に重ね合わせるととともに、検査対象の複合偏光板１の長辺側の側縁７（所定の側縁に相当）を、第３基準複合偏光板サンプル１３の対応する長辺とは反対の長辺側の側縁１０（所定の側縁，図１参照）に突き合わせる。
【００９８】
前記検査対象の複合偏光板１における位相差板１Ｂ、すなわち検査対象の位相差板１Ｂの遅相軸の向きが所望の向きに正確に設定されていると、第３基準複合偏光板サンプル１３における位相差板、すなわち基準位相差板１３Ｂの遅相軸と検査対象の位相差板１Ｂの遅相軸とが平行になる。
【００９９】
その結果、検査具側の直線偏光板５に対するライト２の照明により、照明方向下手側から見て、第３基準複合偏光板サンプル１３と検査対象の複合偏光板１とが同じ色に見える。
【０１００】
検査対象の位相差板１Ｂの遅相軸の向きが所望の向きに対して少しでも傾いた状態になっていると、位相差板１Ｂの発色機能が働いて検査対象の複合偏光板１に別の色が着き、第３基準複合偏光板サンプル１３と検査対象の複合偏光板１とが同じ色に見えなくなる。
【０１０１】
このように、第３基準複合偏光板サンプル１３と検査対象の複合偏光板１とが同じ色に見えるか否かを観察することで、検査対象の位相差板１Ｂの遅相軸の向きが正確に設定されているか否かを判別する。
【０１０２】
［第２観察工程］（図１０，図１１参照）
前記検査対象の複合偏光板１を、第４基準複合偏光板サンプル１４側の検査具用直線偏光板部分とは別の直線偏光板部分に重なる状態に、その位相差板１Ｂ側からガラス板６の他方の面Ｆ２に重ね合わせるとともに、検査対象の複合偏光板１の長辺側の側縁７（所定の側縁に相当）を、第４基準複合偏光板サンプル１４の対応する長辺とは反対の長辺側の側縁１７（所定の側縁，図１参照）に突き合わせる。
【０１０３】
そしてその状態で、第４基準複合偏光板サンプル１４と検査対象の複合偏光板１とが、照明方向下手側から見て、同じ色に見えるか否かを観察する。
【０１０４】
これにより、検査対象の位相差板１Ｂの遅相軸の向きが正確に設定されているか否か、及び、検査対象の直線偏光板１Ａの吸収軸と位相差板１Ｂの遅相軸とが、所望の向きに対して９０度傾いているか否かを観察することができる。
【０１０５】
前記第３基準複合偏光板サンプル１３の基準位相差板１３Ｂの遅相軸と、第４基準複合偏光板サンプル１４の基準位相差板１４Ｂの遅相軸とが４５度程度を成すように、第４基準複合偏光板サンプル１４の姿勢を設定したことで、第４基準複合偏光板サンプル１４がライト２の照明で例えば青色に発色していることから、第４基準複合偏光板サンプル１４と検査対象の複合偏光板１との色の差を見いだしやすくなる。
【０１０６】
［第３観察工程］（図１２，１３参照）
検査対象の複合偏光板１を、第５基準複合偏光板サンプル１５側の複合偏光板部分とは別の検査具用複合偏光板部分に重なる状態に、その位相差板１Ｂ側からガラス板６の他方の面Ｆ２に重ね合わせるとともに、検査対象の複合偏光板１の長辺側の側縁７を、第５基準複合偏光板サンプル１５の対応する長辺とは反対の長辺側の側縁１８（所定の側縁，図１参照）に突き合わせる。
【０１０７】
そしてその状態で、検査具用複合偏光板１６と重複している第５基準複合偏光板サンプル部分２１と、検査具用複合偏光板１６と重複している検査対象の複合偏光板部分２２とが、照明方向下手側から見て同じ色に見えるか否かを観察する。
【０１０８】
検査対象の位相差板１Ｂの遅相軸の向きが正確に設定されていると、基準位相差板１５Ｂの遅相軸と検査対象の位相差板１Ｂの遅相軸とが平行になる。
【０１０９】
これにより、第５基準複合偏光板サンプル部分２１と検査対象の複合偏光板部分２２とが同じ色に見える。
【０１１０】
検査対象の位相差板１Ｂの遅相軸の向きが所望の向きに対して傾いた状態になっていると、両者（第５基準複合偏光板サンプル部分２１と検査対象の複合偏光板部分２２）が異なった色に見える。
【０１１１】
例えば、複合偏光板を形成するときに、直線偏光板に対して位相差板を所望の角度から９０度傾けて貼着してしまうミスが生じることがも考えられるが、このようにして完成した複合偏光板を上記の観察工程で観察すると、前記両者が異なった色に見える。
【０１１２】
このように、前記両者が同じ色に見えるか否かを観察することで、検査対象の位相差板１Ｂの遅相軸の向きが正確に設定されているか否かを判別することができる。
【０１１３】
特に上記の観察工程では、直線偏光板に対して位相差板を所望の角度から９０度傾けて貼着されてしまった複合偏光板を容易に見いだすことができる。
【０１１４】
１枚の検査対象の複合検査板１の検査が終わると、別の検査対象の複合偏光板１を上記と同様にして、順次検査することができる。
【０１１５】
［別実施形態］
前記第２基準複合偏光板サンプル１２をその直線偏光板側１２Ａからガラス板６の他方の面Ｆ２に、前記直線偏光板１２Ａと検査具用直線偏光板５の吸収軸同士が、クロスニコル（又はほぼクロスニコル）状態における角度とは異なる８０度以外の角度を成すように貼着してあってもよい。
【０１１６】
上記の実施形態では、前記［Ｉ］の［第１観察工程］・［第２観察工程］・前記［ＩＩ］の［第１観察工程］・［第２観察工程］・［第３観察工程］の合計５つの観察工程で検査対象の１枚の複合偏光板１を検査したが、これに代えて、次の1)〜5)のいずれか一つの手段で１枚の検査対象の複合偏光板１を検査するだけであってもよい。
【０１１７】
1)  前記［Ｉ］の［第１観察工程］・［第２観察工程］による複合偏光板１の検査
2)  前記［ＩＩ］の［第１観察工程］・［第２観察工程］による複合偏光板１の検査
3)  前記［ＩＩ］の［第３観察工程］による複合偏光板１の検査
4)  前記［Ｉ］の［第１観察工程］・［第２観察工程］・前記［ＩＩ］の［第１観察工程］・［第２観察工程］による複合偏光板１の検査
5)  前記［Ｉ］の［第１観察工程］・［第２観察工程］・前記［ＩＩ］の［第３観察工程］による複合偏光板１の検査
上記の実施形態では、前記［Ｉ］の［第１観察工程］・［第２観察工程］・前記［ＩＩ］の［第１観察工程］・［第２観察工程］・［第３観察工程］の順に検査対象の複合偏光板１を観察したが、観察の順序はこの順序でなくてもよい。
【０１１８】
例えば、前記［Ｉ］の［第１観察工程］の前に［第２観察工程］を行ったり、前記［ＩＩ］の［第１観察工程］と［第２観察工程］と［第３観察工程］とを任意の順序で行ったりしてもよく、さらに、前記［ＩＩ］の観察工程を前記［Ｉ］の観察工程よりも前に行ってもよい。
【０１１９】
前記透明板は、ガラス板６に代えて透明樹脂板で構成してあってもよい。
【０１２０】
前記第１〜第５基準複合偏光板１１，１２，１３，１４，１５は、検査対象の複合偏光板１と同一形状のものを用いたが、第１〜第５基準複合偏光板１１，１２，１３，１４，１５と検査対象の複合偏光板１とは異なる形状であってもよい。
【０１２１】
本発明は、前記検査具４を用いないで検査する場合にも適用することができる。
【図面の簡単な説明】
【図１】複合偏光板の検査具の平面図
【図２】検査具の側面図
【図３】第３基準複合偏光板サンプル等の断面図
【図４】第１基準複合偏光板サンプル等を示す断面図
【図５】複合偏光板における直線偏光板の観察工程を示す平面図
【図６】複合偏光板の観察工程を示す断面図
【図７】複合偏光板における直線偏光板の観察工程を示す平面図
【図８】複合偏光板における位相差板の観察工程を示す平面図
【図９】複合偏光板における位相差板の観察工程を示す断面図
【図１０】複合偏光板における位相差板の観察工程を示す平面図
【図１１】複合偏光板における位相差板の観察工程を示す断面図
【図１２】複合偏光板における位相差板の観察工程を示す平面図
【図１３】複合偏光板における位相差板の観察工程を示す断面図
【符号の説明】
１      検査対象の複合偏光板
１Ａ    直線偏光板
１Ｂ    位相差板
５      検査具側の直線偏光板
６      透明板
７，８，９，１０，１７，１８    側縁
１１，１２，１３，１４，１５，  基準複合偏光板サンプル
【図１】
0004375853.tif 000002
【図２】
0004375853.tif 000003
【図３】
0004375853.tif 000004
【図４】
0004375853.tif 000005
【図５】
0004375853.tif 000006
【図６】
0004375853.tif 000007
【図７】
0004375853.tif 000008
【図８】
0004375853.tif 000009
【図９】
0004375853.tif 000010
【図１０】
0004375853.tif 000011
【図１１】
0004375853.tif 000012
【図１２】
0004375853.tif 000013
【図１３】
0004375853.tif 000014